(57)【要約】      （修正有）【課題】部品数が少なく、鏡板の取付けを容易に実現し、施工現場での鏡板の交換を可能にしたフラッシュドアを提供する。【解決手段】芯材６と、芯材に取り付けられる表面材７とを有し、内側に鏡板２が配設されるフラッシュドア１であって、鏡板を取り付ける鏡板取付枠４を有し、鏡板取付枠４は表面材７が取り付けられる芯部３ａと、鏡板２の受け部３ｂとを有し、鏡板取付枠４の受け部３ｂに鏡板２が配置され、その端縁部上に受け部３ｂに略等しい断面形状を有する押さえ部材９が固定具１０により配置され、鏡板２の端縁部が受け部３ｂと押さえ部材９とで挟持され、鏡取付部材４は芯材を兼用している。【選択図】図１
2006225883.tif 000002
【特許請求の範囲】
【請求項１】
芯材と、芯材に取り付けられる表面材とを有し、内側に鏡板が配設されるフラッシュドアであって、鏡板を取り付ける鏡板取付枠を有し、鏡板取付枠は芯材を兼用していることを特徴とするフラッシュドア。
【請求項２】
鏡板取付枠は、表面材が取り付けられる芯部と、芯部からフラッシュドアの表裏いずれか片側に張り出す鏡板の受け部とを有し、鏡板取付枠の受け部に鏡板の端縁部が配置され、その端縁部上に受け部に略等しい断面形状を有する押さえ部材が配置され、押さえ部材は固定具により鏡板取付枠の芯部に固定され、鏡板の端縁部が鏡板取付枠の受け部と押さえ部材との間で挟持されている請求項１記載のフラッシュドア。
【請求項３】
鏡板取付枠は、表面材が取り付けられる芯部と、芯部からフラッシュドアの表裏両側に張り出す鏡板の受け部とを有し、受け部の間に鏡板の挿入溝が形成され、鏡板取付枠の挿入溝に鏡板の端縁部が差し込まれている請求項１または２記載のフラッシュドア。
【発明の詳細な説明】
【技術分野】
【０００１】
本願発明は、フラッシュドアに関するものである。
【背景技術】
【０００２】
ドアの内側に木質板やガラス板などの鏡板を取り付ける構造として図１０に示したような鏡板の取付構造が知られている。図１０に示した鏡板の取付構造では、框５０に、表面端面に切欠部５０ａを設けるとともに、切欠部５０ａと連続して切欠部５０ａより浅い表面切欠部５０ｂを設け、この框５０の切欠部５０ａに嵌入される框固着部５１ａと框固着部５１ａの反対側に鏡板５２が嵌入される鏡板嵌入部５１ｂを設けたモール５１を形成し、モール５１の框固着部５１ａが框５０の切欠部５０ａに嵌入固着され、鏡板嵌入部５１ｂに鏡板５２が嵌入保持され、框５０の表面切欠部５０ｂに表面切欠部５０ｂの深さと等しい厚さの押さえ板５３を框固着部５１ａを覆うように固着させている（特許文献１参照）。
【特許文献１】特開平１０−２２０１１６号公報
【発明の開示】
【発明が解決しようとする課題】
【０００３】
しかしながら、図１０に示した鏡板の取付構造では、鏡板５２を取り付けるために框５０とは別体としたモール５１が必要であり、また、このモール５１を固着するために框５０に切欠部５０ａおよび表面切欠部５０ｂを段差状に加工して形成し、押さえ板５３を固着させる必要もある。
【０００４】
したがって、図１０に示した鏡板の取付構造は、部品数が少なく、簡単な構造であり、組立てが容易であるというものの、改善の余地は残されており、より部品数を少なくし、より簡単な構造とする工夫が望まれる。また、図１０に示した鏡板の取付構造では、ドアの施工現場で鏡板５２の交換を容易に可能とすることは考慮されていなく、さらに、芯材と芯材の表裏に取り付けられる表面材とから構成されるフラッシュドアの場合に鏡板５２をどのようにして取り付けるかについて示唆していない。
【０００５】
本願発明は、このような事情に鑑みてなされたものであり、部品数が少なく、鏡板の取付けを容易に実現し、施工現場での鏡板の交換を容易に可能としたフラッシュドアを提供することを課題としている。
【課題を解決するための手段】
【０００６】
本願発明は、上記の課題を解決するために、第１には、芯材と、芯材に取り付けられる表面材とを有し、内側に鏡板が配設されるフラッシュドアであって、鏡板を取り付ける鏡板取付枠を有し、鏡板取付枠は芯材を兼用していることを特徴としている。
【０００７】
本願発明は、第２には、鏡板取付枠は、表面材が取り付けられる芯部と、芯部からフラッシュドアの表裏いずれか片側に張り出す鏡板の受け部とを有し、鏡板取付枠の受け部に鏡板の端縁部が配置され、その端縁部上に受け部に略等しい断面形状を有する押さえ部材が配置され、押さえ部材は固定具により鏡板取付枠の芯部に固定され、鏡板の端縁部が鏡板取付枠の受け部と押さえ部材との間で挟持されていることを特徴としている。
【０００８】
本願発明は、第３には、鏡板取付枠は、表面材が取り付けられる芯部と、芯部からフラッシュドアの表裏両側に張り出す鏡板の受け部とを有し、受け部の間に鏡板の挿入溝が形成され、鏡板取付枠の挿入溝に鏡板の端縁部が差し込まれていることを特徴としている。
【発明の効果】
【０００９】
本願の第１の発明によれば、部品数が削減され、構造が簡易となり、組立てが容易となる。
【００１０】
本願の第２の発明によれば、鏡板取付枠の受け部と押さえ部材とによる挟持により鏡板を取り付けることができる。フラッシュドアの施工現場において鏡板の交換が容易に可能となる。
【００１１】
本願の第３の発明によれば、鏡板取付枠の受け部間に形成された挿入溝に差し込むことにより鏡板を取り付けることができる。フラッシュドアの施工現場において鏡板の交換が容易に可能となる。
【発明を実施するための最良の形態】
【００１２】
図１は、本願発明のフラッシュドアの一実施形態を示した正面図である。図２は、図１図中のＡ−Ａ断面図であり、図３は、図１図中のＢ−Ｂ断面図である。
【００１３】
フラッシュドア１には、木質板、ガラス板等の鏡板２を取り付けるための鏡板取付枠３、４が設けられている。
【００１４】
フラッシュドア１において、左右の鏡板取付枠３は、図２に示したように、フラッシュドア１の構造材となる芯部３ａと鏡板２の端縁部が配置される受け部３ｂとを有している。フッラッシュドア１の縦框部５は、このような鏡板取付枠３の芯部３ａと、鏡板２と反対側に配置される外枠を形成する芯材６と、これら芯部３ａおよび芯材６の表裏に貼り付けられる表面材７とから形成されている。表面材７は、基材の表面に化粧シートが貼着され、基材の裏面側にＶカット溝が切り込まれ、このＶカット溝において折り曲げが可能となっている。Ｖカット溝は芯材６の角部に対応して設けられ、表面材７は芯材６の角部で折り曲げられ、芯材６の三方を取り巻くように配設されている。
【００１５】
鏡板取付枠３の受け部３ｂは断面形状が台形であり、左右の鏡板取付枠３では、芯部３ａからフラッシュドア１の裏側に張り出している。表面材７は、鏡板取付枠３の芯部３ａまで配設されていて受け部３ｂには配設されていないが、受け部３ｂにおいて露出する面は表面材７と同様に化粧が施されていて、斜面３ｂ１は表面材７の表面と連続している。鏡板２は、その端縁部において受け部３ｂの内側面に配置される。鏡板２がガラス板の場合、受け部３ｂの内側面にはゴム製等のクッション８を設けることができ、鏡板２の当たりを緩衝する。鏡板２が木質板の場合はクッション８は特に必要とされない。
【００１６】
鏡板２の固定には押さえ部材９が用いられる。押さえ部材９は、鏡板取付枠３の受け部３ｂに略等しい断面形状を有し、台形状となっている。この押さえ部材９を鏡板取付枠３の受け部３ｂに配置された鏡板２の端縁部上に配置し、釘１０等の固定具により鏡板取付枠３の芯部３ａに固定する。鏡板２は、鏡板取付枠３の受け部３ｂと押さえ部材９とによりしっかりと挟持される。押さえ部材９において外部に露出する面は表面化粧が施されていて、斜面９１は押さえ部材９が固定されたときに表面材７の表面に連続する。
【００１７】
一方、フラッシュドア１において、上下の鏡板取付枠４は、図３に示したように、芯部４ａと、芯部４ａからフラッシュドア１の表裏両側に張り出す受け部４ｂとを有している。フッラッシュドア１の横框部１１は、縦框部５と同様に、鏡板取付枠４の芯部４ａと、鏡板２と反対側に配置される外枠を形成する芯材６と、これら芯部４ａおよび芯材６の表裏に貼り付けられる表面材７とから形成されている。表面材７は芯材６の角部で折り曲げられ、芯材６の三方を取り巻くように配設されている。
【００１８】
鏡板取付枠４の両受け部４ｂは断面形状が台形となっている。表面材７は、鏡板取付枠４の芯部４ａまで配設されていて受け部４ｂには配設されていないが、受け部４ｂにおいて露出する面は表面材７と同様に化粧が施されていて、斜面４ｂ１は表面材７の表面と連続している。両受け部４ｂの間には鏡板２の挿入溝１２が形成されている。鏡板２は、この挿入溝１２内に上下の端縁部が差し込まれて取り付けられている。通常、上側の鏡板取付枠４に形成される挿入溝１２は、下側の鏡板取付枠４に形成される挿入溝１２よりも深く形成され、鏡板２を取り付ける際には、鏡板２の上端部を上側の鏡板取付枠４の挿入溝１２に一旦深く挿入した後、鏡板２を挿入方向と反対方向にスライドさせ、鏡板２の下端部を下側の鏡板取付枠４の挿入溝１２に挿入する。いわゆるけんどん式で鏡板２の上下両端縁部を挿入溝１２に差し込むことができる。
【００１９】
フラッシュドア１では、上記のとおり、鏡板取付枠３、４が芯材を兼用しているので、鏡板２の取付けに要する部品数を削減することができ、構造が簡略化され、組立てが容易となっている。しかも、鏡板２の取付けは、鏡板取付枠３の受け部３ｂと押さえ部材９とによる挟持および鏡板取付枠４の受け部４ｂ間に形成された挿入溝１２への差込みにより行うことができる。したがって、フラッシュドア１の施工現場において鏡板２の交換が容易に可能となっている。
【００２０】
鏡板取付枠３、４には、たとえばＬＶＬ等の各種木質材を用いることができる。
【００２１】
次にフラッシュドア１の組立手順について説明する。
【００２２】
図４に示したように、たとえばＭＤＦ板１３の左右両面に合板１４を貼り付けて形成した芯材１５に対しモールディング加工を行い、鏡板取付枠４を作製する。モールディング加工により鏡板取付枠４には芯部４ａと芯部４ａから左右両側に張り出す受け部４ｂとが形成され、受け部４ｂ間には挿入溝１２が形成される。鏡板取付枠３についても同様なモールディング加工により、図５に示したように、芯部３ａと芯部３ａから左右いずれか片側のみ張り出す受け部３ｂを形成する。
【００２３】
次いで、図６に示したように、受け部４ｂに化粧シート１６をラッピングする。このとき化粧シート１６は、露出する面ばかりでなく、近接するの面の一部にまで巻き込んでラッピングし、後に露出する受け部４ｂにおける化粧シート１６が貼り付けられた境界を目立たなくする。そして、受け部４ｂの横幅が芯部４ａの横幅より短くなるように端部を斜め４５°にカットする。鏡板取付枠３についても同様に化粧シート１６を受け部３ｂにラッピングし、斜め４５°のカットを行う。
【００２４】
この後、図７に示したように、斜め４５°にカットされた鏡板取付枠３、４をそれぞれ２本を一対として対向配置し、隣接する部分において釘等の固定具を用いて連結する。この連結により鏡板取付枠３、４は矩形状の鏡板取付枠体１７となる。鏡板取付枠体１７は一ユニットとして取り扱うことができる。
【００２５】
そして、図８＜ａ＞に示したように、ユニット化された鏡板取付枠体１７の外側に前述の芯材６としての外枠１８を配置し、スペーサー１９等を介在させて釘等の固定具により鏡板取付枠体１７に外枠１８を連結し、芯組みする。外枠１８については、鏡板取付枠体１７と同様にユニット化し、あらかじめ外枠体として使用することもできる。
【００２６】
次いで、図８＜ｂ＞に示したような表面材７を芯組みされた構造体の表裏に貼り付け、図９に示した縦框部５および横框部１１を形成する。表面材７は、たとえば、ＭＤＦ板を基材とし、表面に化粧シートを貼り付けたものが例示され、折り曲げる場合には、基材にＶカット溝を形成し、このＶカット溝において折曲加工することができる。
【００２７】
この後、組み立てられた額縁体２０の内側に鏡板２を取り付ける。横框部１１を構成する一方の鏡板取付枠４の深く形成された挿入溝１２に鏡板２の一端縁部を差し込み、深く挿入した後に挿入方向とは反対方向に鏡板２をスライドさせ、対向側の他端縁部を他方の鏡板取付枠４の挿入溝１２に差し込む。このようにして挿入溝１２に差し込まれる端縁部に直角な方向の鏡板２の端縁部は、鏡板取付枠３の化粧シートが貼り付けられていない受け部３ｂに配置される。さらに、鏡板２の端縁部の上には、表面化粧され、端部が斜め４５°にカットされた押さえ部材９を配置し、押さえ部材９を釘１０等の固定具を用いて芯部３ａに固定する。鏡板２の端縁部は、鏡板取付枠２の受け部３ｂと押さえ部材９との間で挟持される。
【００２８】
このようにして、図１に示したフラッシュドア１が組み立てられる。
【００２９】
もちろん本願発明は以上の実施形態によって限定されることはない。鏡板取付枠や押さえ部材の形状、材質をはじめ、芯材、表面材の構成、材質などについては様々な態様が可能である。
【図面の簡単な説明】
【００３０】
【図１】本願発明のフラッシュドアの一実施形態を示した正面図である。
【図２】図１図中のＡ−Ａ断面図である。
【図３】図１図中のＢ−Ｂ断面図である。
【図４】図１に示したフラッシュドアの組立工程を示した断面図および側面図である。
【図５】図４に示した工程により形成される鏡板取付枠を示した断面図である。
【図６】図４に示した組立工程の次工程を示した断面図および側面図である。
【図７】図６に示した組立工程の次工程を示した平面図である。
【図８】＜ａ＞＜ｂ＞は、それぞれ、図７に示した組立工程の次工程を示した平面図、斜視図である。
【図９】図８に示した組立工程の次工程を示した平面図である。
【図１０】従来の鏡板の取付構造を示した断面図である。
【符号の説明】
【００３１】
１    フラッシュドア
２    鏡板
３    鏡板取付枠
３ａ    芯部
３ｂ    受け部
３ｂ１    斜面
４    鏡板取付枠
４ａ    芯部
４ｂ    受け部
４ｂ１    斜面
５    縦框部
６    芯材
７    表面材
８    クッション
９    押さえ部材
９１    斜面
１０    釘
１１    横框部
１２    挿入溝
１３    ＭＤＦ板
１４    合板
１５    芯材
１６    化粧シート
１７    鏡板取付枠体
１８    外枠
１９    スペーサー
２０    額縁体
【図１】
2006225883.tif 000003
【図２】
2006225883.tif 000004
【図３】
2006225883.tif 000005
【図４】
2006225883.tif 000006
【図５】
2006225883.tif 000007
【図６】
2006225883.tif 000008
【図７】
2006225883.tif 000009
【図８】
2006225883.tif 000010
【図９】
2006225883.tif 000011
【図１０】
2006225883.tif 000012